(57)【要約】  【課題】前面側のカバーと背面側のカバーとをそれぞれ背支桿に対して正確な位置に組み付ける作業が容易且つ迅速に行い得る椅子を提供する。  【解決手段】本実施形態に係る椅子１００は、前面側のカバー５３ｂに設けられ当接面５３ｂ１及び当接面５３ｂ１の裏側に設けた段部たる上面部５３ｂ３を有する鍔部５３Ｙと、背面側のカバー５３ａに設けられ当接面５３ａ１、５３ｂ１同士を当接させた際に鍔部５３Ｙを挟持する挟持部５３Ｘとを具備するものである。そうすることにより、両カバー５３ａ、５３ｂ以外の部品の点数を抑えるか省くことができる。すなわち両カバー５３ａ、５３ｂ以外の部品や当該部品を扱うための工具の取り回しに掛かる手間を有効に省いて、正確でありながらも、容易且つ迅速な組み付けを行うことが可能とものとなっている。  【選択図】図３
2010099222.tif 000002
【特許請求の範囲】
【請求項１】
背支桿に、前面側のカバーと背面側のカバーとを当接面同士を当接させることによってそれぞれ装着してなる椅子であって、
一方のカバーに設けられ前記当接面及び当接面の裏側に設けた段部を有する鍔部と、
他方のカバーに設けられ前記当接面同士を当接させた際に前記鍔部を挟持する挟持部とを具備することを特徴とする椅子。
【請求項２】
前記挟持部が、前記当接面と、当接面に設けた抜け止め部とを有するものである請求項１記載の椅子。
【請求項３】
前記鍔部が、前記当接面に形成した開口に設けられてあり、前記挟持部が、前記開口に挿入する突起である請求項１又は２記載の椅子。
【請求項４】
前面側のカバー及び背面側のカバーのうち少なくとも何れか一方のカバーが前記背支桿に嵌合する嵌合部をさらに備えている請求項１、２又は３記載の椅子。
【請求項５】
前記嵌合部が、先端部の開口幅が前記軸の直径よりも小さくなるように先端側を窄ませた二股形状を有するものであり、前記嵌合部を部材の一時的な弾性変形を利用して前記背支桿に係わり合わせている請求項４記載の椅子。
【請求項６】
前記当接面が、上下方向に面する上下面である請求項１、２、３、４又は５記載の椅子。
【請求項７】
前記鍔部及び前記挟持部を両カバーの上端に設けている請求項１、２、３、４、５又は６記載の椅子。
【請求項８】
前記前面側のカバー及び背面側のカバーの上端が背凭れに隠蔽されている請求項７記載の椅子。
【請求項９】
前記前面側のカバー及び前記背面側のカバーを連結する連結部と、連結部に設けられ前面側のカバーと背面側のカバーの外側面を面一にするための位置決め部とをさらに具備している請求項６、７、８又は９記載の椅子。
【請求項１０】
前記位置決め部を、前記連結部にから両側に向かって伸びるリブの両側端に設けたものとしている請求項９記載の椅子。
【発明の詳細な説明】
【技術分野】
【０００１】
本発明は、オフィス等で好適に用いられる事務用の回転椅子に関するものである。
【背景技術】
【０００２】
従来、脚に支持された座を配するとともに、脚や座、あるいは座を支持する他の構成要素に背凭れを支える背支桿を後傾動作可能に取り付け、前記背支桿に前面側のカバーと背面側のカバーとをそれぞれ装着しなる椅子が種々提案されている（例えば、特許文献１、２参照）。
【０００３】
このような背支桿カバーは製造工程においては、作業者によって組み付けられる作業の作業効率を向上させるために、前面側のカバーと背面側のカバーとを組み付ける作業が容易且つ正確に行いやすい構造とすることが求められている。
【特許文献１】特開２００３−１３５２０３号公報
【特許文献２】特開２００５−１６０８９５号公報
【発明の開示】
【発明が解決しようとする課題】
【０００４】
しかしながら、上述した特許文献に記載したような椅子では、背支桿カバーの取り付けの際には、カバーを正確な位置に確実に位置決めする必要がある。このようなものでは、カバーを確実に取り付けるために、ビスなどの格別の部品を用いたり、背支桿側にも前記ビスに螺合するためのねじ孔を構成したりするものとなり、いきおい背支桿並びにカバーの構造が複雑なものとなる。加えて部品点数も多く、組み付けの際には作業者には背支桿にカバーを精密に位置決めする手間を要求するばかりか、ビス止めのためのドライバーといった工具をも扱わねばならず、その組み付けには時間や手間が大きく掛かるものとなっているのが現状である。
【０００５】
本発明は、このような不具合に着目したものであり、前面側のカバーと背面側のカバーとをそれぞれ背支桿に対して正確な位置に組み付ける作業が容易且つ迅速に行い得る椅子を提供する。
【課題を解決するための手段】
【０００６】
本発明は、このような目的を達成するために、次のような手段を講じたものである。すなわち、本発明に係る椅子は、背支桿に、前面側のカバーと背面側のカバーとを当接面同士を当接させることによってそれぞれ装着してなる椅子であって、
一方のカバーに設けられ前記当接面及び当接面の裏側に設けた段部を有する鍔部と、他方のカバーに設けられ前記当接面同士を当接させた際に前記鍔部を挟持する挟持部とを具備することを特徴とする。
【０００７】
このようなものであれば、カバー同士の構成によって背支桿への位置決めを行うことができるので、カバー以外の部品の点数を抑えるか省くことができる。すなわちカバー以外の部品や当該部品を扱うための工具の取り回しに掛かる手間を有効に省いて、正確でありながらも、容易且つ迅速な組み付けを行うことが可能となる。
【０００８】
簡素な構成で挟持部を実現するための具体的な構成として、当該挟持部を、当接面と、当接面に設けた抜け止め部とを有するものを挙げることができる。
【０００９】
また確実な組み付けと確実な位置決めとを両立するためには、鍔部を、当接面を有する板状部に形成した開口として、挟持部を、開口に挿入する突起とすることが望ましい。
【００１０】
そして背支桿に対する位置決めをより正確に行うためには、何れか一方のカバーに背支桿に嵌合する嵌合部をさらに設けたものとすればよい。そして斯かる嵌合部を単純な構成で実現するための構成として、先端部の開口幅が軸の直径よりも小さくなるように先端側を窄ませた二股形状を有するものとし、嵌合部を部材の一時的な弾性変形を利用して背支桿に係わり合わせる態様のものを挙げることができる。
【００１１】
組み付け時に両カバーのズレが起こり難いようにするためには、両カバーの当接面を、上下方向に面する上下面としておくことが望ましい。そして上下面を設定し易く組み付け時に確認しやすいものとするためには、鍔部及び挟持部を両カバーの上端に設けることが好ましい。そしてこのようなものであれば、前面側のカバー及び背面側のカバーの上端が背凭れに隠蔽することにより、鍔部と挟持部との係り合いを、外側からの衝突などから有効に保護することができる。
【００１２】
そして上述のような確実な組み付けを利用して正確な位置決めをより有効に達成するためには、前面側のカバー及び背面側のカバーを連結する連結部と、連結部に設けられ前面側のカバーと背面側のカバーの外側面を面一にするための位置決め部とをさらに設けたものとすることが望ましい。そしてカバーの強度を担保しつつ正確な位置決めを実現するためには、位置決め部を、連結部にから両側に向かって伸びるリブの両側端に設けたものとすることが好ましい。
【発明の効果】
【００１３】
本発明によれば、カバー同士の構成によって背支桿への位置決めを行うことができるので、カバー以外の部品の点数を抑えるか省くことができる。そうすることにより、カバー以外の部品や当該部品を扱うための工具の取り回しに掛かる手間を有効に省いて、正確でありながらも、容易且つ迅速な組み付けを行い得る椅子を提供することが可能となる。
【発明を実施するための最良の形態】
【００１４】
以下、本発明を事務用回転椅子１００に適用した場合の一実施形態につき、図面を参照して説明する。
【００１５】
この椅子１００は、図１に示すように、脚１と、この脚１の上部に支持され水平旋回可能な座受３と、この座受３に保持された座４と、座受３に後傾動作可能に設けられた背支持体５と、この背支持体５に取り付けられた背凭れ６と、座受３の両側から立ち上がる肘掛け７とを具備してなる。
【００１６】
脚１は、図１に示すように、脚ベース１１と、脚ベース１１の中心部に設けられた脚支柱１２とを備えてなる。脚ベース１１は、中心部に設けたハブから脚羽根を放射状に突出させて設けたもので、脚羽根先端にキャスターをそれぞれ設けている。脚支柱１２は、ガススプリングを主体に構成されたもので、上下方向に弾性的に伸縮し、所望位置でロックすることができるようにした通常のものである。
【００１７】
座受３は、図１に示すように、座４を保持するシェル状のもので、脚支柱１２の上端部に取り付けられたハウジング３１と、このハウジング３１に剛結され背支持体５を後傾動作可能に支持する図示しない主軸と、ハウジング３１内に設けられ背支持体５の後傾動作に対して反発力を発生させる傾動反力発生機構３２とを具備してなる。傾動反力発生機構３２は、コイルスプリングやガススプリング等を用いた通常のものであるため、本実施形態ではその詳細な説明を省略する。
【００１８】
座４は、図１に示すように、座受３に支持され、着座面４ａにおいて着座者の荷重を支持し得る通常のものであるため、本実施形態ではその詳細な説明を省略する。
【００１９】
背支持体５は、図１に示すように、座受３に後傾動作可能に支持された背支桿５１と、この背支桿５１の下端部に取り付けられた背支桿カバー５３とを主に具備してなる。そして当該背支持体５の構成については後に詳述する。
【００２０】
背凭れ６は、図１に示すように、背支桿の上端に取付られており、前後からそれぞれクッション機能を有する背前カバーと、背の背面側に配された、例えば硬質樹脂製の背後カバーとを主体として構成されたものである。そしてこの背凭れの下端部において、背の前後のカバーの間には背支桿カバー５３の上端部、すなわち後述する挟持部５３Ｘ及び鍔部５３Ｙが収容・隠蔽された状態となっている。
【００２１】
肘掛け７は、図１に示すように、座受側方に取り付けられており、本実施形態では所謂サークル形状のものを採用しているが、当該肘掛けは図示の形状のものに限られることはなく、例えばＴ字形状のものであったり、高さ調節機能を有するものであったり、或いは後方に跳ね上げ可能に構成されたもの等、種々の態様のものを適用することができる。
【００２２】
そして背支持体５の構成について詳述すると、背支桿５１は、図２及び図３に示すように、水平に伸びる基端側を座受け３に図示しない態様にて後傾可能に取り付けられるとともに側面視Ｌ字に湾曲して起立する例えば金属製のパイプを適宜成形したものを主体としており、起立した上端部において上述の通り背凭れ６を取り付けるフレーム状のものである。そして当該背支桿５１は、基端部近傍の水平に部分において下方から傾動反力発生機構３２により弾性付勢されている。
【００２３】
そして背支桿カバー５３は、図３乃至図１１に示すように、側面視Ｌ字に湾曲した金属製の背支桿５１を水平部分から起立部分に亘って覆う例えばそれぞれが合成樹脂により一体成形されたものである。そして当該背支桿カバー５３は、当該背支桿５１を後方すなわち背面側から覆う背面側のカバー５３ａと、背面側のカバー５３ａに相対して前方すなわち前面側から背支桿５１を覆う前面側のカバー５３ｂとを有したものとなっている。
【００２４】
そしてこれら背面側のカバー５３ａと前面側のカバー５３ｂとは、上端部近傍において後述する挟持部５３Ｘと鍔部５３Ｙとの係り合いによって、下端部近傍においては連結凸部５３ａ４と連結凹部５３ｂ４とによって構成される連結部５３ｃの係り合いによって、正確且つ確実に結合され得るものとなっている。
【００２５】
すなわち本実施形態に係る椅子１００は、前面側のカバー５３ｂに設けられ当接面５３ｂ１及び当接面５３ｂ１の裏側に設けた段部たる上面部５３ｂ３を有する鍔部５３Ｙと、背面側のカバー５３ａに設けられ当接面５３ａ１、５３ｂ１同士を当接させた際に鍔部５３Ｙを挟持する挟持部５３Ｘとを具備することを特徴とするものである。
【００２６】
以下、本実施形態に係る椅子１００について、背支桿カバー５３の具体的な構成を踏まえて詳述する。
【００２７】
背面側のカバー５３ａは、特に図３乃至図５に示すように、背支桿５１の後方に位置付けられる後壁５３ａａの両側から側壁５３ａｂを立ち上がらせて形成したものである。そして後壁下方には後述する連結凸部５３ａ４を形成するとともに、上述した傾動反力発生機構３２が有するコイルスプリング等を収容するための円筒状に伸びる開口であるバネ収容部５３ａａ１を形成している。そして側壁５３ａｂは、外側面５３ａｂ１側に外向段部５３ａｂ３を形成するととともに、内側面５３ａｂ４側に内側凸部５３ａｂ２を突出させた形状とすることにより、後述する前面側のカバー５３ｂ側の側壁５３ｂｂと好適に係り合うものとなっている。
【００２８】
そして当該背面側のカバー５３ａは上端部近傍における前面側のカバー５３ｂと係り合わせるための構成として、上方に面する当接面５３ａ１上の左右両端部付近の２箇所において突起５３ａ２を設けてなり、その突起５３ａ２には抜け止め部５３ａ３を形成することにより、当該当接面５３ａ１と突起５３ａ２と、そして抜け止め部５３ａ３とによって、本発明に係る挟持部５３Ｘを構成しているものである。
【００２９】
また背面側のカバー５３ａは、図３及び図６乃至図９に示すように、下端部近傍における前面側のカバー５３ｂと係り合わせるための構成として、さらに連結凸部５３ａ４を有したものとなっている。この連結凸部５３ａ４は、後壁５３ａａから立ち上がる連結突起５３ａ５と、当該連結突起から左右両端部に亘って側壁５３ａｂに連続する対面リブ５３ａ６とを有しており、当該箇所においては特に側壁５３ａｂは幅方向からの外力に対して強い構成となっている。そして連結突起５３ａ５には横方向に隆起する隆起部５３ａ７を形成することにより、前面側のカバー５３ｂ側の連結凹部５３ｂ４に対して好適に係り合うものとなっている。
【００３０】
前面側のカバー５３ｂは、図３乃至図５に示すように、背支桿５１の前方に位置付けられる前壁５３ｂａの両側から側壁５３ｂｂを立ち上がらせて形成したものである、そして前壁５３ｂａの下端部には背支桿５１を挿通させるための挿通部５３ｂｄを、上端部には当該挿通部５３ｂｄを挿通させた背支桿５１に対して嵌合し、背支桿５１に対して正確な位置に取り付けるための嵌合部５３ｂｃを形成している。具体的には嵌合部５３ｂｃは、先端部の開口幅が前記軸の直径よりも小さくなるように先端側を窄ませた二股形状を有するものであり、前記嵌合部５３ｂｃを樹脂素材の一時的な弾性変形を利用して背支桿５１に係り合わせることにより、正確に背支桿５１に取り付けられる。そして側壁５３ｂｂは、内側面５３ｂｂ４側に内向き段部５３ｂｂ３を形成するととともに、外側面５３ｂｂ１側に外側凸部５３ｂｂ２を突出させた形状とすることにより、上述した背面側のカバー５３ａ側の側壁５３ａｂと好適に係り合うものとなっている。
【００３１】
そして当該前面側のカバー５３ｂは上端部近傍における背面側のカバー５３ａと係り合わせるための構成として、下方に面する当接面５３ｂ１上の左右両端部付近の２箇所において開口５３ｂ２を形成してなり、その開口５３ｂ２近傍における当接面５３ｂ１の裏面側の上面部５３ｂ３と当該当接面５３ｂ１と前記開口５３ｂ２とによって、本発明に係る鍔部５３Ｙを構成しているものである。
【００３２】
また前面側のカバー５３ｂは、図３及び図６乃至図９に示すように、下端部近傍における背面側のカバー５３ａと係り合わせるための構成として、さらに連結凹部５３ｂ４を有したものとなっている。この連結凹部５３ｂ４は、後壁５３ａａから立ち上がった箇所の先端に形成された連結穴５３ｂ５と、当該連結穴５３ｂ５から左右両端部に亘って５３ｂｂに連続するリブ５３ｂ６とを有し、当該リブの端部を本発明に係る位置決め部５３ｂ８としている。そして連結突起５３ａ５には前記隆起部５３ａ７に対応した形状である段部５３ｂ７を形成することにより、背面側のカバー５３ａ側の連結凸部５３ａ４に対して好適に係り合うものとなっている。
【００３３】
そして本実施形態では、図３乃至図５に示すように、背支桿５１に対して前面側のカバー５３ｂを位置決めしておいた状態で、背面側のカバー５３ａを下方から前面側のカバー５３ｂへ向けて差し込むことにより取り付けるものとなっている。
【００３４】
そしてその際、上端部側においては、当接面５３ａ１、５３ｂ１同士が上下方向に当接することとなり、開口５３ｂ２に突起５３ａ２が挿入されることにより、鍔部５３Ｙが挟持部５３Ｘに挟持されて、背面側のカバー５３ａと前面側のカバー５３ｂは自ずと正確な位置、すなわち図２に示すような正確な位置に位置決めされるものとなる。
【００３５】
しかして本実施形態では、図６乃至図９に示すように、下端部側においては、リブ５３ｂ６の突出高さを側壁５３ｂｂの突出高さよりも大きく設定することにより、上述した側壁５３ｂｂと位置決め部５３ｂ８とによって、本発明に係る溝部５３ｄを形成している。すなわち、背面側のカバー５３ａの側壁５３ａｂを受け入れることができる、詳細には内側面５３ａｂ４を案内しつつ位置決めし得る溝部５３ｄを形成している。そして図８乃び図９に示すように、両カバー５３ａ、５３ｂすなわち背面側のカバー５３ａと前面側のカバー５３ｂとを取り付けた状態では、連結部５３ｃの係り合いにより、背面側のカバー５３ａと前面側のカバー５３ｂとの幅方向の位置決めが正確になされるようになっている。そしてその結果、両カバー５３ａ、５３ｂすなわち背面側のカバー５３ａ及び前面側のカバー５３ｂの外側面５３ａｂ１、５３ｂｂ１が、正確に面一に揃ったものとなる。
【００３６】
以上のような構成とすることにより、本実施形態によれば両カバー５３ａ、５３ｂの構成によって背支桿５１への位置決めを行うことができるので、両カバー５３ａ、５３ｂ以外の部品の点数を抑えるか省くことができる。すなわち両カバー５３ａ、５３ｂ以外の部品や当該部品を扱うための工具の取り回しに掛かる手間を有効に省いて、正確でありながらも、容易且つ迅速な組み付けを行うことが可能とものとなっている。
【００３７】
簡素な構成で挟持部５３Ｘを実現するために本実施形態では、挟持部５３Ｘを、５３ａ１と、当接面５３ａ１に設けた抜け止め部５３ａ３とを有するものとしている。また確実な組み付けと確実な位置決めとを両立するために本実施形態では、鍔部５３Ｙを、当接面５３ｂ１に形成した開口５３ｂ２として、挟持部５３Ｘを、開口５３ｂ２に挿入する突起５３ａ２と有するものとしている。
【００３８】
そして背支桿５１に対する両カバー５３ａ、５３ｂの位置決めをより正確に行うために本実施形態では、前面側のカバー５３ｂに背支桿５１に嵌合する嵌合部５３ｂｃをさらに設けたものとすればよい。そして斯かる嵌合部５３ｂｃを単純な構成で実現するために本実施形態では、嵌合部５３ｂｃの先端部の開口幅が軸の直径よりも小さくなるように先端側を窄ませた二股形状を有するものとし、嵌合部５３ｂｃを部材の一時的な弾性変形を利用して背支桿５１に係わり合わせる態様のものとしている。
【００３９】
組み付け時に両カバー５３ａ、５３ｂの、特に幅方向のズレが起こり難いようにするために本実施形態では、両カバー５３ａ、５３ｂの当接面５３ａ１、５３ｂ１を、上下方向に面する上下面としている。そして上下面を設定し易く組み付け時に確認しやすいものとするために、鍔部５３Ｙ及び挟持部５３Ｘを両カバー５３ａ、５３ｂの上端に設けている。そして本実施形態、前面側のカバー５３ｂ及び背面側のカバー５３ａの上端が背凭れ６に隠蔽されることにより、鍔部５３Ｙと挟持部５３Ｘとの係り合いを、外側からの衝突などから有効に保護し得るものとなっている。
【００４０】
そして上述のような確実な組み付けを利用して正確な位置決めをより有効に達成するために本実施形態では、前面側のカバー５３ｂ及び背面側のカバー５３ａを連結する連結部５３ｃと、連結部５３ｃに設けられ前面側のカバー５３ｂと背面側のカバー５３ａの外側面５３ａｂ１、５３ｂｂ１を面一にするための位置決め部５３ｂ８をさらに設けたものとしている。そして両カバー５３ａ、５３ｂの強度を担保しつつ正確な位置決めを実現するために、位置決め部５３ｂ８を、連結部５３ｃにから両側に向かって伸びるリブ５３ｂ６の両側端に設けたものとしている。
【００４１】
＜変形例＞
以下に本実施形態の各変形例について、図１０及び図１１を参照して説明する。当該変形例においては、上記実施形態と同様の構成要素については、上記実施形態と同じ符号を付すとともに、その詳細な説明を省略するものとする。
【００４２】
図１０に示すように、連結部５３ｃの構成としては、連結突起５３ａ５の先端に雌ねじ部５３ａ８を形成するとともに、連結穴５３ｂ５の反対側、すなわち上方に上向面５３ｂ８を形成し、当該上向面５３ｂ８にワッシャｗを載置してから、当該ワッシャｗを介してビスｂを雌ねじ部５３ａ８に結合させるようにしたものであっても良い。このようなものであれば、上述のような一連の背支桿カバー５３の組み付けが終わった後に、ビスｂによって、より確実な組み付けを実現することが可能となる。勿論ビス止めの作業は、組み付けの作業とは重ならないため、作業者は容易にビス止めの作業を行うことが出来る。
【００４３】
そして図１１に示すように、連結突起５３ａ５に設けた隆起部５３ａ７の位置を連結突起５３ａ５の上端に配置したものであってもよい。このようなものであっても、連結部５３ｃによる背面側のカバー５３ａと前面側のカバー５３ｂとの組み付けを上記実施形態同様の正確さ、容易さをもって組み付けることが可能である。
【００４４】
以上、本発明の実施形態並びに各変形例について説明したが、各部の具体的な構成は、上述した実施形態のみに限定されるものではなく、本発明の趣旨を逸脱しない範囲で種々変形が可能である。
【００４５】
例えば、上記実施形態並びに変形例では両カバーを上下方向に連結する態様のみを開示したが本発明は斯かる態様に限定されるものではなく、例えば、前後方向や、後斜め下方向から前斜め上方向へ背面側のカバーを移動させて連結するものとしても良い。
【００４６】
その他、各部の具体的構成についても上記実施形態に限られるものではなく、本発明の趣旨を逸脱しない範囲で種々変形が可能である。
【図面の簡単な説明】
【００４７】
【図１】本発明の一実施形態に係る椅子の外観図。
【図２】同実施形態に係る椅子の背支桿並びに背支桿カバーを示す要部斜視図。
【図３】同背支桿並びに背支桿カバーの分解斜視図。
【図４】同背支桿カバーの要部を示す図。
【図５】同上
【図６】同背支桿カバーの連結部を示す図
【図７】同連結部を示す断面図。
【図８】図７に係る作用説明図。
【図９】同背支桿カバーの連結部を示す他の図。
【図１０】同実施形態の変形例に係る連結部を示す要部断面図。
【図１１】同実施形態の他の変形例に係る要部断面図。
【符号の説明】
【００４８】
１００…椅子
５１…背支桿
５３ａ…背面側のカバー、他方のカバー（背面側のカバー）
５３ａ１…当接面
５３ａ２…突起
５３ａ３…抜け止め部
５３ａｂ１…側面（外側面）
５３Ｘ…挟持部
５３ｂ…前面側のカバー、一方のカバー（前面側のカバー）
５３ｂ１…当接面
５３ｂ２…開口
５３ｂ３…段部（上面部）
５３ｂｃ…嵌合部
５３ｂ６…リブ
５３ｂ８…位置決め部
５３ｂｂ１…側面（外側面）
５３Ｙ…鍔部
５３ｃ…連結部
６…背凭れ
【図１】
2010099222.tif 000003
【図２】
2010099222.tif 000004
【図３】
2010099222.tif 000005
【図４】
2010099222.tif 000006
【図５】
2010099222.tif 000007
【図６】
2010099222.tif 000008
【図７】
2010099222.tif 000009
【図８】
2010099222.tif 000010
【図９】
2010099222.tif 000011
【図１０】
2010099222.tif 000012
【図１１】
2010099222.tif 000013